(57)【要約】【課題】記憶媒体に階層化されたフォルダに格納されたデータの検索時間の増大を抑制することにより、消費電力を抑えたデータ再生装置装置を提供する。【解決手段】ＣＤ−ＲＯＭ２に含まれる複数のフォルダがなす階層構造を解析し、階層構造の情報及び複数のフォルダがそれぞれ格納する格納データの情報を含む構造情報を作成する解析モジュール４１と、対象データを格納しない未格納フォルダを識別可能にして、構造情報を表示する表示装置４２と、構造情報に含まれる複数のフォルダ及び再生対象データのうちの一つを指定する指示を入力する入力装置１０とを備える。【選択図】図１
2007250036.tif 000002
【特許請求の範囲】
【請求項１】
記憶媒体に含まれる複数のフォルダがなす階層構造を解析し、前記階層構造の情報及び前記複数のフォルダがそれぞれ格納する格納データの情報を含む構造情報を作成する解析モジュールと、
対象データを格納しない未格納フォルダを識別可能にして、前記構造情報を表示する表示装置と、
前記構造情報に含まれる前記複数のフォルダ及び再生対象データのうちの一つを指定する指示を入力する入力装置
とを備えることを特徴とするデータ再生装置。
【請求項２】
前記表示装置が、前記複数のフォルダそれぞれが格納する前記対象データの数を情報として含むフォルダ情報を作成するフォルダ情報作成モジュールを備えることを特徴とする請求項１に記載のデータ再生装置。
【請求項３】
前記表示装置が、前記未格納フォルダに符号を付して前記構造情報を表示することを特徴とする請求項１又は２に記載のデータ再生装置。  
【請求項４】
前記未格納フォルダが指定されないように前記入力装置を制御する入力制御装置を更に備えることを特徴とする請求項１乃至３のいずれか１項に記載のデータ再生装置。
【請求項５】
前記記憶媒体を装着可能なデバイスインタフェースを更に備えることを特徴とする請求項１乃至４のいずれか１項に記載のデータ再生装置。
【発明の詳細な説明】
【技術分野】
【０００１】
本発明は、コンテンツデータの再生装置に係り、特に階層化されて記憶媒体に格納されたコンテンツデータのデータ再生装置に関する。
【背景技術】
【０００２】
データ再生装置は、記憶媒体から取得した動画データ、静止画データ、及び音楽データ等のコンテンツデータを再生する。コンテンツデータは、コンパクトディスク（ＣＤ）やデジタルビデオディスク（ＤＶＤ）を記憶媒体とするＲＯＭ（リードオンリーメモリ）或いはＲＡＭ（ランダムアクセスメモリ）、つまりＣＤ−ＲＯＭ、ＣＤ−ＲＡＭ、ＤＶＤ−ＲＯＭ、及びＤＶＤ−ＲＡＭ等に格納される。例えばＣＤ−ＲＯＭに格納された、オーディオレイヤー３（ＭＰ３）等の符号化方式でデータ圧縮された音楽データが、データ再生装置によって再生される。データ再生装置は、例えば記憶媒体がＣＤ−ＲＯＭの場合、据え置き型ＣＤプレーヤ、携帯型ＣＤプレーヤ、車載用ＣＤプレーヤ等がある。
【０００３】
一般に、記憶媒体は、コンテンツデータの内容に応じて設定された階層構造を構成する複数のフォルダを有する。コンテンツデータは、各コンテンツデータに対応するフォルダに格納される。例えばコンテンツデータが楽曲等の音楽データである場合、ジャンル、アーティスト等に階層化されたフォルダが記憶媒体に設定される。そして、ジャンル及びアーティストで分類された音楽データが、対応するフォルダに格納される（例えば、特許文献１参照。）。そのため、データ再生装置のユーザは、ジャンル、アーティストのフォルダを辿って、記憶媒体に格納された所望の音楽データを検索する。
【０００４】
しかし、階層構造が複雑になると、記憶媒体の情報から所望のコンテンツデータを検索するために要する時間が増大する。        
【特許文献１】特開２００１−２６６４７０号公報
【発明の開示】
【発明が解決しようとする課題】
【０００５】
本発明は、記憶媒体に階層化されたフォルダに格納されたデータの検索時間の増大を抑制することにより、消費電力を抑えたデータ再生装置装置を提供する。
【課題を解決するための手段】
【０００６】
本願発明の一態様によれば、（イ）記憶媒体に含まれる複数のフォルダがなす階層構造を解析し、階層構造の情報及び複数のフォルダがそれぞれ格納する格納データの情報を含む構造情報を作成する解析モジュールと、（ロ）対象データを格納しない未格納フォルダを識別可能にして、構造情報を表示する表示装置と、（ハ）構造情報に含まれる複数のフォルダ及び再生対象データのうちの一つを指定する指示を入力する入力装置とを備えるデータ再生装置が提供される。
【発明の効果】
【０００７】
本発明によれば、記憶媒体に階層化されたフォルダに格納されたデータの検索時間の増大を抑制することにより、消費電力を抑えたデータ再生装置装置を提供できる。
【発明を実施するための最良の形態】
【０００８】
次に、図面を参照して、本発明の第１又は２の実施の形態を説明する。以下の図面の記載において、同一又は類似の部分には同一又は類似の符号を付している。又、以下に示す第１又は２の実施の形態は、この発明の技術的思想を具体化するための装置や方法を例示するものであって、この発明の技術的思想は、構成部品の構造、配置等を下記のものに特定するものでない。この発明の技術的思想は、特許請求の範囲において、種々の変更を加えることができる。
【０００９】
（第１の実施の形態）
本発明の第１の実施の形態に係るデータ再生装置１は、図１に示すように、ＣＤ−ＲＯＭ２に含まれる複数のフォルダがなす階層構造を解析し、階層構造の情報及び複数のフォルダがそれぞれ格納する格納データの情報を含む構造情報を作成する解析モジュール４１と、対象データを格納しない未格納フォルダを識別可能にして、構造情報を表示する表示装置４２と、構造情報に含まれる複数のフォルダ及び再生対象データのうちの一つを指定する指示を入力する入力装置１０とを備える。ここで、複数のフォルダそれぞれが格納する対象データは、複数のフォルダそれぞれの下の階層にあるすべてのフォルダが格納する対象データを含む。
【００１０】
図１に示すように解析モジュール４１及び表示装置４２はデータ管理装置４０に含まれる。表示装置４２は、記憶媒体に含まれる複数のフォルダそれぞれが格納する対象データの数、及び複数のフォルダそれぞれの下の階層にあるすべてのフォルダが格納する対象データの数を情報として含むフォルダ情報を作成するフォルダ情報作成モジュール４２１を備える。フォルダ情報作成モジュール４２１は、例えばデータ名の拡張子を参照して、各フォルダに格納されたデータが対象データであるか否かを判定する。表示装置４２は、構造情報を表示するために、図示を省略するディスプレイを有する。データ管理装置４０は、更にメモリ４３を含む。メモリ４３は、構造情報及びフォルダ情報等を格納する。
【００１１】
データ再生装置１は、データ取得モジュール３０、再生モジュール５０及び出力装置６０を更に備える。データ取得モジュール３０は、記憶媒体に格納されたデータの情報を取得し、取得したデータの情報をデータ管理装置４０及び再生モジュール５０に転送する。再生モジュール５０は、ユーザが入力装置１０から指定した所望のデータを再生する。再生モジュール５０は、図示を省略するが、データのデコード等を行うデジタルシグナルプロセッサ（ＤＳＰ）、デジタルデータをアナログデータに変換するＤＡコンバータ（ＤＡＣ）等を含む。再生されたデータは、出力装置６０から出力される。出力装置６０は、例えばスピーカ、ディスプレイ等である。
【００１２】
データ再生装置１は、記憶媒体が装着可能なデバイスインタフェース２０を更に備える。図１は、データ再生装置１に記憶媒体としてＣＤ−ＲＯＭ２が装着された例を示す。ＣＤ−ＲＯＭ２に、音楽データがフォルダ単位に階層化されて格納されている。後述するように、ユーザは、表示装置４２に表示されたフォルダ情報を参照して、入力装置１０を操作して階層構造に従ってフォルダを辿りながら、所望の音楽データを検索する。そして、ユーザが所望の音楽データを指定することにより、データ再生装置１は指定された音楽データを再生する。
【００１３】
図１に示す中央演算処理装置（ＣＰＵ）７０は、データ管理装置４０、入力装置１０、再生モジュール５０、出力装置６０、及びデバイスインタフェース２０を含むデータ再生装置１全体を制御する。
【００１４】
図２に、ＣＤ−ＲＯＭ２に含まれる複数のフォルダがなす階層構造、及び各フォルダに格納されたデータの例を示す。図２に示した例では、フォルダ１の下の階層に、フォルダ２、フォルダ３及びフォルダ４が設定される。フォルダ３の下の階層にフォルダ５が設定される。フォルダ４の下の階層にフォルダ６が設定される。
【００１５】
ここで、上下の関係にある階層において、上の階層にあるフォルダを「親フォルダ」、親フォルダの直下の階層にあるフォルダを「子フォルダ」とする。例えば、フォルダ１の直下にあるフォルダ２、フォルダ３及びフォルダ４を、フォルダ１の「子フォルダ」という。又、フォルダ１をフォルダ２、フォルダ３及びフォルダ４の「親フォルダ」という。
【００１６】
図２に示したように、フォルダ１にデータ「１０１．ｍｐ３」が格納される。拡張子「ｍｐ３」は、データ「１０１．ｍｐ３」がＭＰ３方式で圧縮された音楽データであることを示す。フォルダ２にデータ「２０１．ｍｐ３」が格納される。フォルダ３にデータ「３０１．ｅｘｅ」が格納される。拡張子「ｅｘｅ」は、データ「３０１．ｅｘｅ」がプログラム等の実行ファイルであることを示す。又、フォルダ３の子フォルダであるフォルダ５にデータ「５０１．ｍｐ３」が格納されている。フォルダ４の子フォルダであるフォルダ６にデータ「６０１．ｊｐｇ」が格納されている。拡張子「ｊｐｇ」は、データ「６０１．ｊｐｇ」がジョイントフォトグラフィックエクスパーツグループ（ＪＰＥＧ）方式のデータであることを示す。
【００１７】
図２に示した構造情報に基づき作成されるフォルダ情報の例を図３に示す。図３に示したフォルダ情報において、項目「トータルデータ数」は、フォルダ１〜フォルダ６それぞれのすべての子フォルダが格納するＭＰ３データの数を示す。項目「ローカルデータ数」は、フォルダ１〜フォルダ６それぞれが格納するＭＰ３データの数を示す。例えば、フォルダ１にＭＰ３データであるデータ「１０１．ｍｐ３」が格納され、フォルダ１の子フォルダ２にデータ「２０１．ｍｐ３」が格納される。又、フォルダ１の子フォルダ３の子フォルダであるフォルダ５にデータ「５０１．ｍｐ３」が格納される。そのため、フォルダ１のトータルデータ数は３、ローカルデータ数は１である。
【００１８】
フォルダ２にデータ「２０１．ｍｐ３」が格納されるため、フォルダ２のトータルデータ数は１、ローカルデータ数は１である。フォルダ３はＭＰ３データを格納しないが、フォルダ５に「５０１．ｍｐ３」が格納されるため、フォルダ３のトータルデータ数は１、ローカルデータ数は０である。フォルダ４はＭＰ３データを格納せず、フォルダ４の子フォルダであるフォルダ６もＭＰ３データを格納しないため、フォルダ４のトータルデータ数は０、ローカルデータ数は０である。フォルダ５に「５０１．ｍｐ３」が格納されるため、フォルダ５のトータルデータ数は１、ローカルデータ数は１である。フォルダ６はＭＰ３データを格納せず、ＭＰ３データを格納する子フォルダがないため、フォルダ４のトータルデータ数は０、ローカルデータ数は０である。
【００１９】
又、図３に示したフォルダ情報の項目「親フォルダ番号」は、フォルダ２〜フォルダ６それぞれのすべての親フォルダのフォルダ番号を示す。フォルダ１は親フォルダがないため、項目「親フォルダ番号」は空欄である。
【００２０】
図４は、ＭＰ３データのデータ情報の例を示す。図４に示したように、ＭＰ３データのデータ情報は、各ＭＰ３データが格納されるフォルダ番号及びデータ名を含む。
【００２１】
以下に、図１に示したデータ再生装置１の動作を、図５に示したフローチャートを用いて具体的に説明する。以下では、ＣＤ−ＲＯＭ２にＭＰ３方式で圧縮された音楽データ（以下において、「ＭＰ３データ」という。）が再生対象となり得る対象データであり、ユーザが所望のＭＰ３データを指定する例を説明する。
【００２２】
（イ）ステップＳ１０において、ＣＤ−ＲＯＭ２がデバイスインタフェース２０においてデータ再生装置１に装着されると、データ取得モジュール３０がＣＤ−ＲＯＭ２に格納されたデータの情報を取得する。取得されたデータの情報はデータ管理装置４０に転送され、メモリ４３に格納される。
【００２３】
（ロ）ステップＳ２０において、解析モジュール４１が、メモリ４３からＣＤ−ＲＯＭ２のデータの情報を読み出す。解析モジュール４１は、ＣＤ−ＲＯＭ２のデータの情報に基づき、ＣＤ−ＲＯＭ２に格納されたデータの種類、及びフォルダの階層構造を解析する。解析結果に基づき、解析モジュール４１は、フォルダ１〜フォルダ６がなす階層構造の情報及びフォルダ１〜フォルダ６がそれぞれ格納するデータの情報を含む構造情報を作成する。具体的には、図２に示した構造情報が作成される。作成された構造情報は、メモリ４３に格納される。
【００２４】
（ハ）ステップＳ３０において、フォルダ情報作成モジュール４２１が、メモリ４３から構造情報を読み出す。フォルダ情報作成モジュール４２１は、構造情報を参照して、フォルダ１〜フォルダ６それぞれが格納するＭＰ３データの数、及びフォルダ１〜フォルダ６それぞれのすべての子フォルダが格納するＭＰ３データの数を情報として含むフォルダ情報を作成する。フォルダ情報作成モジュール４２１は、例えばデータ名の拡張子を参照して、拡張子「ｍｐ３」のデータが再生対象になり得るＭＰ３データとして判定する。その結果、図３に示したフォルダ情報が作成される。作成されたフォルダ情報は、メモリ４３に格納される。
【００２５】
（ニ）ステップＳ４０において、表示装置４２は、フォルダ情報を参照して、ＭＰ３データを格納せず且つ下の階層にあるすべての子フォルダがＭＰ３データを格納しない未格納フォルダを識別可能にして、構造情報を表示する。各フォルダが未格納フォルダであるか否かは、項目「トータルデータ数」及び項目「ローカルデータ数」を参照することにより、判定可能である。つまり、トータルデータ数及びローカルデータ数が両方とも０であるフォルダが未格納フォルダである。図３に示したフォルダ情報では、フォルダ４及びフォルダ６が未格納フォルダである。
【００２６】
未格納フォルダを識別可能な状態で構造情報を表示するために、表示装置４２は、例えば未格納フォルダのフォルダ名に符号を付して構造情報を表示する。図６に、表示装置４２が表示する構造情報の例を示す。図６は、フォルダ１に格納されるＭＰ３データのデータ名と、フォルダ１の子フォルダのフォルダ名が表示された例を示す。図６に示したように、未格納フォルダであるフォルダ４のフォルダ名の先頭にアスタリスク符号「＊」が付されている。
【００２７】
一般に、例えば図２に示した構造情報をすべて表示するためには、構造情報を表示する表示装置４２のディスプレイの面積を広くする必要がある。階層構造が複雑になるほど表示装置４２のディスプレイの面積を広くする必要がある。しかし、小型化が必要な携帯型のデータ再生装置等では、表示装置４２のディスプレイの面積が制限される。その場合、表示装置４２は、構造情報の一部を表示する。例えば、構造情報のうち入力装置１０によって指定されたフォルダに格納されたデータのデータ名及び指定されたフォルダの直下の階層の子フォルダのフォルダ名のみが表示装置４２に表示される。図６は、入力装置１０によってフォルダ１が指定された場合に、フォルダ１に格納されたＭＰ３データのデータ名「１０１．ｍｐ３」及びフォルダ１の子フォルダのフォルダ名「フォルダ２」〜「フォルダ４」のみが表示装置４２に表示された例である。
【００２８】
表示装置４２に階層構造の一部のみ示された場合、表示装置４２に表示されたフォルダ情報からでは全体の階層構造が不明である。そのため、ユーザは所望のＭＰ３データを検索するために、ＭＰ３データが格納されていないフォルダを辿っていく可能性がある。その結果、所望の音楽データを検索する時間が増大する。
【００２９】
しかし、図１に示したデータ再生装置１によれば、未格納フォルダを識別可能にして表示装置４２が構造情報を表示することにより、ユーザが所望のＭＰ３データを検索する場合に、未格納フォルダを容易に検索の対象外とすることができる。その結果、ユーザが所望のＭＰ３データの検索に要する時間を削減できる。検索時間の削減により、データ再生装置１の消費電力の増大を抑制できる。
【００３０】
図６は未格納フォルダのフォルダ名の先頭にアスタリスク符号「＊」を付した例を示した。未格納フォルダのフォルダ名にハッチングをかけたり、未格納フォルダとその他のフォルダで色を変えて、構造情報を表示装置４２に表示してもよい。
【００３１】
更に、子フォルダを有するフォルダ、つまり親フォルダのフォルダ名に符号を付して構造情報を表示してもよい。図６は、親フォルダであるフォルダ３及びフォルダ４のフォルダ名の最後にスラッシュ符号「／」を付して、構造情報を表示装置４２に表示した例を示している。親フォルダに符号を付すことにより、ユーザは階層構造の全体を把握しやすくなり、所望のＭＰ３データを検索する際の参考とすることができる。  
ユーザは、表示装置４２に表示された構造情報を参照して、入力装置１０が有する入力手段に指示を入力することにより、フォルダを一つずつ指定しながらデータを検索し、再生させるデータを指定する。図６に示すように表示装置４２が一つのフォルダの情報のみ表示する場合には、階層構造に従ってフォルダ情報が順に表示装置４２に表示される。ここで、「フォルダの情報」とは、フォルダが格納するデータ及びフォルダの子フォルダの情報である。つまり、表示装置４２が一つのフォルダの情報のみ表示する場合、入力装置１０を介してフォルダを指定すると、指定されたフォルダに格納されたデータ、及び指定されたフォルダの子フォルダが表示装置４２に表示される。ただし、親フォルダがないフォルダ１の情報を、指定無しで最初に表示装置４２に表示してもよい。指定されたフォルダ或いはデータは、例えば表示装置４２のディスプレイ上で反転表示され、指定されたことをユーザが確認できる。
【００３２】
入力装置１０が有する入力手段１００の例を図７に示す。入力手段１００は、上キー１０１、下キー１０２、左キー１０３、右キー１０４及び指定キー１０５を備える。上キー１０１、下キー１０２、左キー１０３及び右キー１０４を押下することにより、ユーザは表示装置４２のディスプレイ上に表示されたフォルダを指定する。
【００３３】
具体的には、ユーザが上キー１０１を押下すると、入力装置１０は指定されているフォルダに対して表示装置４２のディスプレイ上の上側に表示されているフォルダを指定する指示情報を生成し、ＣＰＵ７０に送信する。ユーザが下キー１０２を押下すると、入力装置１０は指定されているフォルダに対して表示装置４２のディスプレイ上の下側に表示されているフォルダを指定する指示情報を生成し、ＣＰＵ７０に送信する。ユーザが左キー１０３を押下すると、入力装置１０は指定されているフォルダの親フォルダを指定する指示情報を生成し、ＣＰＵ７０に送信する。ユーザが右キー１０４を押下すると、入力装置１０は指定されているフォルダの子フォルダを指定する指示情報を生成し、ＣＰＵ７０に送信する。
【００３４】
ＣＰＵ７０は、入力装置１０からフォルダを指定する指示情報が送信された場合に、新たに指定されたフォルダをユーザが確認できるように、表示装置４２を制御する。表示装置４２は、例えば新たに指定されたフォルダのフォルダ名をディスプレイ上で反転表示する。
【００３５】
フォルダが選択された状態でユーザが指定キー１０５を押下すると、入力装置１０は指定されているフォルダの情報を表示させる指示情報を生成し、ＣＰＵ７０に送信する。ＣＰＵ７０は、入力装置１０からフォルダの情報を表示させる指示情報が送信された場合に、指定されたフォルダの情報を表示装置４２に表示させる。したがって、ユーザが入力装置１０を操作することにより、階層構造に従ってフォルダの情報が順に表示装置４２に表示される。尚、図６に示したように、表示装置４２のディスプレイに一つのフォルダの情報しか表示できない場合には、ユーザが左キー１０３或いは右キー１０４を押下した場合に、新たに指定されたフォルダの情報を表示装置４２に表示させてもよい。
【００３６】
入力手段１００によってフォルダを選択する方法を、図６に示した構造情報においてフォルダ３が指定された状態を例に説明する。上キー１０１が押下されると、フォルダ２が新たに指定される。下キー１０２が押下されると、フォルダ４が新たに指定される。右キー１０４が押下されると、フォルダ３の子フォルダであるフォルダ５の情報が表示装置４２に表示される。指定キー１０５が押下されると、フォルダ３の情報が表示装置４２に表示される。尚、図６はフォルダ３の親フォルダ１の情報を表示しているため左キー１０３が押下されても表示内容は変化しない。
【００３７】
又、ユーザは、入力手段１００によって、フォルダの指定と同様にして表示装置４２に表示されたデータを指定できる。データが指定された状態でユーザが指定キー１０５を押下すると、入力装置１０は指定されているデータを再生する指示情報を生成し、ＣＰＵ７０に送信する。ＣＰＵ７０は、入力装置１０からデータを再生する指示情報が送信された場合に、指定されたデータの情報をデータ取得モジュール３０に転送する。データ取得モジュール３０は、転送されたデータの情報に基づき、指定されたデータを記憶媒体から取得し、指定されたデータを再生モジュール５０に転送する。再生モジュール５０は、指定されたデータを再生する。例えば、図６に示した構造情報において、データ「１０１．ｍｐ３」を指定することにより、データ取得モジュール３０はＣＤ−ＲＯＭ２からデータ「１０１．ｍｐ３」を取得し、再生モジュール５０はデータ「１０１．ｍｐ３」を再生する。再生されたデータ「１０１．ｍｐ３」は出力装置６０から出力される。
【００３８】
上記の説明では、データ再生装置１で再生されるデータがＭＰ３方式で圧縮された音楽データである例を示したが、データがＭＰ３以外の方式で圧縮された音楽データ、或いは動画や静止画等の画像データであってもよいことは勿論である。又、図１では記憶媒体がＣＤ−ＲＯＭ２である例を示したが、記憶媒体がＣＤ−ＲＡＭ、ＤＶＤ−ＲＯＭ或いはＤＶＤ−ＲＡＭ等であってもよい。
【００３９】
以上に説明したように、本発明の第１の実施の形態に係るデータ再生装置１によれば、再生対象となり得る対象データが格納されていない未格納フォルダを表示装置４２のディスプレイ上で識別可能にすることによって、記憶媒体の階層化されたフォルダに格納されたデータの検索時間の増大を抑制することができる。
【００４０】
（第２の実施の形態）
本発明の第２の実施の形態に係るデータ再生装置１は、図８に示すように、構造情報を参照し、未格納フォルダを指定できないように入力装置１０を制御する入力制御装置１１を更に備えることが図１と異なる点である。その他の構成については、図１に示す第１の実施の形態と同様である。
【００４１】
既に述べたように、ユーザが所望のデータを検索する場合に、未格納フォルダは検索の対象外である。そのため、ユーザが誤って未格納フォルダを指定しないように入力装置１０を制御することは、ユーザが所望のデータを検索する時間を削減するために有効である。
【００４２】
図８に示した入力制御装置１１は、入力制御装置１１からＣＰＵ７０に転送されるフォルダを指定する指示情報を監視する。入力制御装置１１は、メモリ４３に格納されたフォルダ情報を参照して、新たに指定されたフォルダが未格納フォルダである場合には、未格納フォルダが新たに指定されたフォルダにならないように、入力装置１０を制御する。
【００４３】
具体的には、入力制御装置１１は、入力装置１０を介して指定された未格納フォルダをスキップさせて、新たなフォルダ或いはデータを指定させる。例えば、図６に示した構造情報においてフォルダ３が指定された状態を例に説明する。フォルダ３が指定された状態で下キー１０２が押下されると、未格納フォルダ４はスキップされ、データ「１０１．ｍｐ３」が新たに指定される。又、新たに指定しようとした子フォルダが未格納フォルダである場合は、右キー１０４が押下されても表示装置４２の表示内容は変化しない。
【００４４】
以上に説明したように、本発明の第２の実施の形態に係るデータ再生装置１によれば、未格納フォルダを指定できないようにすることにより、記憶媒体の階層化されたフォルダに格納されたデータの検索時間の増大を抑制することができる。他は、第１の実施の形態と実質的に同様であり、重複した記載を省略する。
【００４５】
（その他の実施の形態）
上記のように、本発明は第１又は２の実施の形態によって記載したが、この開示の一部をなす論述及び図面はこの発明を限定するものであると理解すべきではない。この開示から当業者には様々な代替実施の形態、実施例及び運用技術が明らかとなろう。
【００４６】
既に述べた第１又は２の実施の形態の説明においては、データ再生装置１に装着可能な記憶媒体におけるフォルダの階層構造を解析する例を示した。データ再生装置１が内蔵するハードディスク、不揮発性メモリ等の記憶媒体についてフォルダの階層構造を解析することにより、内蔵する記憶媒体に格納されたデータの検索時間を削減することができる。
【００４７】
このように、本発明はここでは記載していない様々な実施の形態等を含むことは勿論である。したがって、本発明の技術的範囲は上記の説明から妥当な特許請求の範囲に係る発明特定事項によってのみ定められるものである。
【図面の簡単な説明】
【００４８】
【図１】本発明の第１の実施の形態に係るデータ再生装置の構成を示す模式図である。
【図２】本発明の第１の実施の形態に係るデータ再生装置に装着可能な記憶媒体の階層構造の例を説明するための模式図である。
【図３】本発明の第１の実施の形態に係るデータ再生装置によって作成されるフォルダ情報の例を示す表である。
【図４】本発明の第１の実施の形態に係るデータ再生装置によって作成されるデータ情報の例を示す表である。
【図５】本発明の第１の実施の形態に係るデータ再生方法を説明するためのフローチャートである。
【図６】本発明の第１の実施の形態に係るデータ再生装置によって表示される階層情報の例を示す表である。
【図７】本発明の第１の実施の形態に係るデータ再生装置が有する入力手段の例を示す模式図である。
【図８】本発明の第２の実施の形態に係るデータ再生装置の構成を示す模式図である。
【符号の説明】
【００４９】
１…データ再生装置
２…ＣＤ−ＲＯＭ
１０…入力装置
１１…入力制御装置
２０…デバイスインタフェース
３０…データ取得モジュール
４０…データ管理装置
４１…解析モジュール
４２…表示装置
４３…メモリ
５０…再生モジュール
６０…出力装置
７０…ＣＰＵ
４２１…フォルダ情報作成モジュール
【図１】
2007250036.tif 000003
【図２】
2007250036.tif 000004
【図３】
2007250036.tif 000005
【図４】
2007250036.tif 000006
【図５】
2007250036.tif 000007
【図６】
2007250036.tif 000008
【図７】
2007250036.tif 000009
【図８】
2007250036.tif 000010